(57)【特許請求の範囲】
【請求項１】
撮像装置により撮像される画像に生じる色ずれを補正する色ずれ補正装置において、
前記画像をＬ（Ｌは２以上の値）個のエリアに分割した各エリアについて、色ずれに対する基準となる補正値である基準補正値を記憶する基準補正値記憶手段と、
前記画像をＺ（Ｚは２以上の値）個のエリアに分割した各エリアについて、ユーザにより設定された値に基づいて色ずれに対する補正値である調整補正値を取得する調整補正値取得手段と、
前記基準補正値記憶手段に記憶された基準補正値及び前記調整補正値取得手段により取得された調整補正値に基づいて、前記画像の画素について色ずれに対する画素毎の補正値を取得する画素毎補正値取得手段と、を備え、
前記調整補正値取得手段は、前記画像の水平方向の区切り毎に設定された係数と、これらの各係数毎についてユーザにより設定されたゲインの値と、前記画像の水平方向の画素のカウンタのカウント値を用いて水平方向の画素毎の調整補正値を取得するとともに、前記画像の垂直方向の区切り毎に設定された係数と、これらの各係数毎についてユーザにより設定されたゲインの値と、前記画像の垂直方向の画素のカウンタのカウント値を用いて垂直方向の画素毎の調整補正値を取得し、
前記画素毎補正値取得手段は、前記基準補正値記憶手段に記憶された基準補正値に基づいて決定された前記画像の水平方向の画素毎の補正値と前記調整補正値取得手段により取得された前記水平方向の画素毎の調整補正値を加えた結果を水平方向の画素毎の補正値として取得するとともに、前記基準補正値記憶手段に記憶された基準補正値に基づいて決定された前記画像の垂直方向の画素毎の補正値と前記調整補正値取得手段により取得された前記垂直方向の画素毎の調整補正値を加えた結果を垂直方向の画素毎の補正値として取得する、
ことを特徴とする色ずれ補正装置。
【請求項２】
前記色ずれ補正装置は、映像表示画面を備えるテレビカメラに設けられ、前記テレビカメラにより撮像されて当該色ずれ補正装置により色ずれを補正された映像が前記映像表示画面に表示されるように構成され、前記Ｚ個に分割される各エリアのいずれかが非合焦のときに当該非合焦のエリアを前記映像表示画面に自動的に拡大表示し、
前記Ｚは４であり、前記Ｚ個に分割される各エリアは、前記画像を上下及び左右にそれぞれ等分割したものであり、
前記水平方向の区切り毎及び垂直方向の区切り毎に設定された各係数に対応する前記ゲインとして、０および負の値も設定可能とした、
ことを特徴とする請求項１に記載の色ずれ補正装置。
【発明の詳細な説明】
【技術分野】
【０００１】
本発明は、色収差やレジストレーションのずれ（レジずれ）による色ずれを補正する色ずれ補正装置に関し、特に、色ずれを精度良く補正することが可能な色ずれ補正装置に関する。
【背景技術】
【０００２】
一般に、テレビカメラ等のレンズでは、色収差と呼ばれる画像歪みが生じる。色収差を補正する処理の一例として、映像（画像）の画面を複数であるＬ＝Ｍ×Ｎ（本例では、Ｍ、Ｎはそれぞれ２以上の値）個のエリアに分割して、各エリアの中心におけるレンズの倍率色収差量（以降、単に、「色収差量」と略して言う。）の測定を行い、当該エリアでの補正値（基準補正値）を求め、その基準補正値を用いて画面全体の色収差を補正する処理が知られている（例えば、特許文献１〜８参照。）。
【０００３】
図６には、映像の画面をＬ＝Ｍ×Ｎ個のエリアに分割して、各エリアの中央における補正値（補正量）をそのエリアの基準補正値（基準補正量）として設定した様子の一例を示してある。
本例では、水平方向（横方向）の行数を示すＭ＝１６、垂直方向（縦方向）の列数を示すＮ＝９、Ｌ＝Ｍ×Ｎ＝１４４である。
ｉ行ｊ列（ｉ＝１、２、・・・、Ｍ及びｊ＝１、２、・・・、Ｎ）の基準補正値をＸｒ（ｉ，ｊ）と示している。
【０００４】
図６の例において、画面（有効画面）の左上端を始点とする画面の水平方向（右向き）及び垂直方向（下向き）のインデックスをそれぞれｉ、ｊ（いずれも自然数）とすると、水平方向ｉ番目（ｉ行目）、垂直方向ｊ番目（ｊ列目）のエリア（エリア（ｉ，ｊ）と表記する）の基準補正値Ｘｒ（ｉ，ｊ）は、色ずれに関する水平成分ＸＸ（ｉ，ｊ）と垂直成分ＸＹ（ｉ，ｊ）とからなるベクトルで表される。
【０００５】
現在の技術では、例えば、ズーム、フォーカス、アイリスといったレンズ特性に応じた基準補正値に基づいて色ずれの補正を行っている。
図３（ａ）、（ｂ）を参照して、従来の信号処理方式を説明する。
図３（ａ）には、撮影映像条件を示してある。本例では、カメラ３０１により、１つの被写体（例えば、白い球体）３０２を撮影する。
図３（ｂ）には、撮影映像の色ずれを補正する様子の一例を示してある。
【０００６】
本例では、Ｒ（赤）に対応した補正値出力部３１１は、予め設定されたＲの基準補正値に基づくＲの画素毎補正値を処理回路３１３へ出力する。同様に、Ｂ（青）に対応した補正値出力部３１２は、予め設定されたＢの基準補正値に基づくＢの画素毎補正値を処理回路３１３へ出力する。
ここで、各基準補正値としては、事前にレンズパラメータ（例えば、ズーム、フォーカス、アイリスからなるパラメータ）毎に取得した基準補正値が各補正値出力部３１１、３１２のメモリに設定されて記憶されており、撮影時のレンズパラメータに応じて適したものが各補正値出力部３１１、３１２により選択されて使用される。また、本例では、Ｇ（緑）を基準とした位相差を用いている。
【０００７】
処理回路３１３は、各補正値出力部３１１、３１２から入力された画素毎補正値に基づいて、撮影映像４０１の色ずれを補正し、当該補正後の映像（補正映像）４０２を出力する。
ここで、撮影映像４０１では、レンズなどの影響により、Ｒ／Ｇ／Ｂに色ずれ（例えば、色収差）が生じる。これに対して、補正映像４０２では、色ずれ（例えば、色収差）の無い映像が得られる。
【先行技術文献】
【特許文献】
【０００８】
【特許文献１】特開２００４−２８７７９４号公報
【特許文献２】特開２００９−２９０８６３号公報
【特許文献３】特開２００９−１７０９７０号公報
【特許文献４】特開２００４−１５３３２３号公報
【特許文献５】特開平０８−２０５１８１号公報
【特許文献６】特開２００６−１３５８０５号公報
【特許文献７】特開２００８−５３５２号公報
【特許文献８】特開平０６−２１３７６５号公報
【発明の概要】
【発明が解決しようとする課題】
【０００９】
しかしながら、図３（ａ）、（ｂ）に示されるような現在の技術では、ズーム、フォーカス、アイリスといったレンズ特性については、事前に測定することは可能であるが、例えば、被写体までの距離は撮影するシーンで変わってしまい予測不可能である。このため、事前に準備している基準補正値だけでは精度良く補正することができない場合があった。
【００１０】
図４（ａ）、（ｂ）を参照して、従来の信号処理方式における問題を具体的に説明する。
図４（ａ）には、撮影映像条件を示してある。本例では、カメラ３０１により、２つの被写体（例えば、近い位置にある白い球体と、遠い位置にある白い球体）３０３、３０４を撮影する。
図４（ｂ）には、撮影映像の色ずれを補正する様子の一例を示してある。
【００１１】
本例においては、撮影映像４１１では、レンズなどの影響により、Ｒ／Ｇ／Ｂに色ずれ（例えば、色収差）が生じる。そして、補正映像４１２においても、色ずれ（例えば、色収差）が残る場合がある。具体的には、例えば、被写体の焦点が合わないような場合に色ずれが残ってしまう。
【００１２】
本発明は、このような従来の事情に鑑み為されたもので、色ずれを精度良く補正することができる色ずれ補正装置を提供することを目的とする。
【課題を解決するための手段】
【００１３】
上記目的を達成するため、本発明では、撮像装置により撮像される画像に生じる色ずれを補正する色ずれ補正装置において、次のような構成とした。
すなわち、基準補正値記憶手段が、前記画像をＬ（Ｌは２以上の値）個のエリアに分割した各エリアについて、色ずれに対する基準となる補正値である基準補正値を記憶する。調整補正値取得手段が、前記画像をＺ（Ｚは２以上の値）個のエリアに分割した各エリアについて、ユーザにより設定された値に基づいて、色ずれに対する補正値（例えば、調整のための補正値）である調整補正値を取得する。画素毎補正値取得手段が、前記基準補正値記憶手段に記憶された基準補正値及び前記調整補正値取得手段により取得された調整補正値に基づいて、前記画像の画素について色ずれに対する画素毎の補正値（調整後の補正値）を取得する。
従って、例えばユーザが画像を見て手動で操作することにより、色ずれを精度良く補正（例えば、微調整）することができる。
【００１４】
一構成例として、本発明に係る色ずれ補正装置では、次のような構成とした。
すなわち、前記調整補正値取得手段は、前記画像の水平方向の区切り（例えば、前記したＺ個のエリアの区切り）毎に設定された係数と、これらの各係数毎についてユーザにより設定されたゲインの値と、前記画像の水平方向の画素のカウンタのカウント値を用いて水平方向の画素毎の調整補正値を取得するとともに、前記画像の垂直方向の区切り（例えば、前記したＺ個のエリアの区切り）毎に設定された係数と、これらの各係数毎についてユーザにより設定されたゲインの値と、前記画像の垂直方向の画素のカウンタのカウント値を用いて垂直方向の画素毎の調整補正値を取得する。
また、前記画素毎補正値取得手段は、前記基準補正値記憶手段に記憶された基準補正値に基づいて決定された前記画像の水平方向の画素毎の補正値と前記調整補正値取得手段により取得された前記水平方向の画素毎の調整補正値を加えた結果を水平方向の画素毎の補正値として取得するとともに、前記基準補正値記憶手段に記憶された基準補正値に基づいて決定された前記画像の垂直方向の画素毎の補正値と前記調整補正値取得手段により取得された前記垂直方向の画素毎の調整補正値を加えた結果を垂直方向の画素毎の補正値として取得する。
従って、このような構成により、画像の水平方向と垂直方向について、色ずれを精度良く補正することができる。
【００１５】
なお、上記した各手段と図１（ｃ）、図５に示される処理部との対応の例を示しておく。なお、図１（ｃ）ではＲに関する構成例が示されているが、ＢやＧに関しても同様な構成を用いることが可能である。
一例として、図５に示される基準補正値記憶部１１の機能により基準補正値記憶手段が構成され、図５に示される画素毎補正値算出部１２の機能により調整補正値取得手段や画素毎補正値取得手段が構成される。
また、図１（ｃ）において、一例として、各係数の出力部１２１、１２３、１３１、１３３や乗算器１２２、１２４、１３２、１３４や水平や垂直のカウンタ１２５、１３５や選択回路１２６、１３６の機能により調整補正値取得手段が構成され、基準補正値に関する水平や垂直の補正値出力部１１１、１１２や加算器１４１、１４２の機能により画素毎補正値取得手段が構成される。
【発明の効果】
【００１６】
以上説明したように、本発明に係る色ずれ補正装置によると、色ずれを精度良く補正することができる。
【図面の簡単な説明】
【００１７】
【図１】（ａ）、（ｂ）、（ｃ）は本発明の一実施例に係る信号処理方式を説明するための図である。
【図２】撮影映像の色ずれを補正する様子の一例を示す図である。
【図３】（ａ）、（ｂ）は従来の信号処理方式を説明するための図である。
【図４】（ａ）、（ｂ）は従来の信号処理方式における問題を説明するための図である。
【図５】本発明の一実施例に係る撮像装置の構成例を示す図である。
【図６】映像の画面をＭ×Ｎ分割した各エリアに基準補正値を設定した様子の一例を示す図である。
【発明を実施するための形態】
【００１８】
本発明に係る実施例を図面を参照して説明する。
図５を参照して、本発明の一実施例に係る色ずれ補正装置を、撮像装置に関する実施例を通じて説明する。
図５には、本発明の一実施例に係る撮像装置の構成例を示してある。
本例の撮像装置は、交換式レンズ１、分光プリズム２、ＲＧＢのうちのＲに対応した撮像素子（Ｒ）３、ＲＧＢのうちのＧに対応した撮像素子（Ｇ）４、ＲＧＢのうちのＢに対応した撮像素子（Ｂ）５、色ずれ補正部１０、基準補正値記憶部１１、画素毎補正値算出部１２、制御部１３を備えている。
また、色ずれ補正部１０には、ＲとＢのそれぞれのチャネルについて、水平シフト回路５１、６１、第１メモリ５２、６２、垂直シフト回路５３、６３、第２メモリ５４、６４を備えている。なお、Ｇについても同様な回路が備えられてもよい。
また、本例の撮像装置は、ユーザ（人）による操作を受け付ける操作部や、例えばユーザによる操作に基づいて撮影映像や補正映像を画面に表示出力する画面を有している。
【００１９】
本例の撮像装置において行われる動作の例を示す。
交換式レンズ１から入射した光が分光プリズム２で色成分毎に分けられて、撮像素子（Ｒ）３、撮像素子（Ｇ）４、撮像素子（Ｂ）５のそれぞれの撮像面に結像した光学像が、それぞれ、電気的な映像信号へ変換される。
【００２０】
制御部１３は、交換式レンズ１のズーム、フォーカス、アイリスのポジション（レンズパラメータ）の情報を基準補正値記憶部１１へ出力する。例えば、制御部１３は、交換式レンズ１のズーム、フォーカス、アイリスのいずれかのポジションを動かした（動かされた）ことを検出すると、当該検出結果を基準補正値記憶部１１へ出力する。
【００２１】
基準補正値記憶部１１は、映像（画像）の画面を複数であるＬ＝Ｍ×Ｎ（本例では、Ｍ、Ｎはそれぞれ２以上の整数）個に等分割したエリア毎に基準となる補正値（補正量）である基準補正値（基準補正量）を記憶（保持）している。
基準補正値記憶部１１は、各レンズパラメータ毎に保持されている基準補正値の中から、制御部１３から通知されたポジション（レンズパラメータ）に対応した基準補正値を検索して画素毎補正値算出部１２へ出力する。
【００２２】
ここで、本例では、事前に、レンズパラメータ（例えば、ズーム、フォーカス、アイリスからなるパラメータ）毎に基準補正値が算出されてメモリに保持される。また、本例では、Ｒに対応した基準補正値及びＢに対応した基準補正値が使用されて、それぞれに基づいてＲの色ずれ補正及びＢの色ずれ補正が行われる。また、本例では、Ｇを基準とした位相差を用いている。
また、各エリアの基準補正値としては、種々な手法で算出されてもよく、例えば、公知手法を用いることができる。
また、画面の分割数Ｌや、各方向の分割数Ｍ、Ｎとしては、例えば、予め所定の値が設定されている。
【００２３】
画素毎補正値算出部１２は、基準補正値記憶部１１から入力された基準補正値に基づいて、各エリア内の画素毎に、当該画素を移動すべき量（画素毎補正値）を求める。更に、本例では、画素毎補正値算出部１２は、画素毎に、基準補正値に基づく画素毎補正値を更に調整するための補正値（「調整補正値」と言う）を求める。そして、画素毎補正値算出部１２は、基準補正値に基づく画素毎補正値と調整補正値を加えた結果（「調整後画素毎補正値」と言う）を、色ずれ補正部１０での処理タイミングに合わせて色ずれ補正部１０へ出力する。
なお、基準補正値から画素毎の補正値を求める場合には、例えば、内挿補間や外挿補間を用いることができる。
【００２４】
ここで、本例では、映像（画面）の各エリアの基準補正値を予め記憶しておいて、基準補正値に基づいて画素毎の補正値を算出する構成を示したが、他の構成例として、画素毎の補正値（基準補正値に基づく画素毎補正値と同等なもの）を予め算出して、それを予め記憶しておいて使用するような構成が用いられてもよく、この場合、制御部１３から通知されたポジション（レンズパラメータ）に対応した画素毎の補正値が使用される。
【００２５】
色ずれ補正部１０は、Ｒ、Ｂチャネル（場合によってはＧチャネルも）において別個に、画素毎に変化する調整後画素毎補正値を用いて色ずれ補正を実行する。
ここで、色ずれ補正部１０の内部では、次のような動作が行われる。
各水平シフト回路５１、６１は、対応する各チャネルの映像素子３、５からの映像信号について、画素毎補正値算出部１２から与えられる調整後画素毎補正値Ｘ（Ｈ，Ｖ）の水平成分に応じた画素移動を１／２ｎ画素の分解能（精度）で行う（ｎは１以上の整数）。各第１メモリ５２、６２は、各水平シフト回路５１、６１からの出力信号について、画素の走査方向を水平から垂直に変換するためのフレームメモリである。各垂直シフト回路５３、６３は、各水平シフト回路５１、６１と同等の構成の回路であり、各第１メモリ５２、６２からの出力信号について、画素毎補正値算出部１２から与えられる調整後画素毎補正値Ｘ（Ｈ，Ｖ）の垂直成分に応じた画素移動を行う。各第２メモリ５４、６４は、各垂直シフト回路５３、６３からの出力信号について、画素の走査方向を垂直から水平に戻すためのフレームメモリである。
【実施例】
【００２６】
まず、本実施例の概要を説明する。
例えば、撮像素子を用いて映像（画像）を生成する撮像素子カメラシステムにおいて、色ずれ補正の画像処理を行う場合には、一般に、事前に、ズーム、フォーカス、アイリスといったレンズ特性を測定して、基準補正値を準備しておいて補正する方式が用いられる。しかしながら、事前に用意された基準補正値だけでは補正しきれない被写体撮影条件が存在し得る。本例では、このような撮影条件においても、例えば、数種の関数を選択及び使用し、ゲイン等を手動で設定することを可能として、色ずれ補正を精度良く行うことを実現する。
【００２７】
ここで、関数については、映像を分割（ブロック化）し、その任意のブロックを選択し、ゲイン（移動量に関する値）を設定し、補正する。そして、例えば、移動を行ったブロックに隣接したブロックについては、補間して、連続した映像になるようにする。このように、ブロック毎にゲインを変えることが可能であり、隣接したブロックの境界では補間することで連続化が図られる。
また、手動で行う補正は、主として、微調整に使用される。例えば、従来の基準補正値を用いた補正における補正値に手動で行う補正における補正値（調整補正値）が加算されて補正が行われるが、手動で行う補正が単独で使用されても構わない。
また、手動で補正した際のパラメータ（例えば、ゲイン等）を所定のファイル（例えば、シーンファイル）として保存することも可能である。
【００２８】
従って、本例の色ずれ補正装置では、例えば、撮影現場において、どうしても更に補正を行いたいような場所をユーザが実際の映像を見ながら補正して微調整を行うことができ、現在の技術では予測不可能なあらゆる撮影シーンに対応した撮影が現場において対応可能となる。これにより、映像の歪みを補正することも可能である。本例の色ずれ補正は、現在では主にテレビカメラに用いられると考えられるが、他の種々なものに適用されてもよい。
【００２９】
次に、本実施例の具体例を説明する。
図１（ａ）、（ｂ）、（ｃ）を参照して、本例の信号処理方式を説明する。
図１（ａ）には、画面の分割及び係数の設定の一例を示してある。
本例では、映像の画面２０１を４等分して、上左画像の領域、下左画像の領域、上右画像の領域、下右画像の領域に４分割して、複数のエリア（「調整用エリア」と言う。）に分けている。そして、上左画像と下左画像に所定の係数（左係数）が設定されており、上右画像と下右画像に所定の係数（右係数）が設定されており、上左画像と上右画像に所定の係数（上係数）が設定されており、下左画像と下右画像に所定の係数（下係数）が設定されている。
各係数は一定値であり、本例では、（調整補正値＝係数×ゲイン×水平又は垂直方向の画素数）とする。
なお、他の構成例として、各係数がユーザによる操作に応じて設定や変更され得る構成が用いられてもよい。
【００３０】
ここで、本例では、画面を４つの調整用エリアに分割したが、例えば更に多くの調整用エリアに分割してもよく、画面をＺ（Ｚは２以上の値）個の調整用エリアに分割する態様としては種々なものが用いられてもよい。
また、調整補正値を求めるための係数を設定するときにおける画面の領域分割（Ｚ個に分割）の仕方（例えば、図１（ａ）に示されるもの）と、基準補正値を設定するときにおける画面の領域分割（Ｌ個に分割）の仕方（例えば、図６に示されるもの）とは、異なっていてもよく、或いは、同一であってもよい。
また、本例では、係数としては、調整用エリアの間（ブロック間）で手動による補正値（調整補正値）が連続するような値が設定される。
【００３１】
図１（ｂ）には、画面を分割した１つの調整用エリアについて、横軸に示される水平又は垂直方向の画素数と縦軸に示される画素毎の調整補正値（移動量）との関係として、直線を用いた例と、２次曲線を用いた例を示してある。なお、他の関数が用いられてもよい。
【００３２】
図１（ｃ）には、Ｒについて、撮影映像の色ずれを補正する構成の一例を示してある。なお、Ｂについても同様である。
図１（ｃ）には、水平移動回路１０１、垂直移動回路１０２を示してあるとともに、水平の補正値出力部１１１、垂直の補正値出力部１１２、左係数出力部１２１、乗算器１２２、右係数出力部１２３、乗算器１２４、水平カウンタ１２５、選択回路１２６、上係数出力部１３１、乗算器１３２、下係数出力部１３３、乗算器１３４、垂直カウンタ１３５、選択回路１３６、加算器１４１、加算器１４２を示してある。
【００３３】
ここで、図１（ｃ）に示される構成を図５に示される撮像装置に適用する場合には、例えば、Ｒの水平移動回路１０１、垂直移動回路１０２はそれぞれ図５に示されるＲの水平シフト回路５１、垂直シフト回路５３に相当し、図１（ｃ）では第１メモリ５２、第２メモリ５４は省略してある。また、図１（ｃ）に示される他の処理部１１１〜１１２、１２１〜１２６、１３１〜１３６、１４１〜１４２の機能（図１（ｃ）に示される構成と同一の構成でなくてもよい）は図５に示される画素毎補正値算出部１２に備えられる。また、図５に示される基準補正値記憶部１１から出力された基準補正値或いはそれに基づく情報（例えば、画素毎補正値）が補正値出力部１１１、１１２に入力される。また、水平左ゲイン、水平右ゲイン、垂直上ゲイン、垂直下ゲインの設定や変更をユーザから受け付ける操作部が図５に示される画素毎補正値算出部１２などに備えられる。
【００３４】
図１（ｃ）に示される構成において行われるＲの色ずれ補正の動作の例を示す。
水平の補正値出力部１１１は、基準補正値に基づく水平方向の画素毎補正値を加算器１４１へ出力する。
垂直の補正値出力部１１２は、基準補正値に基づく垂直方向の画素毎補正値を加算器１４２へ出力する。
【００３５】
左係数出力部１２１は、例えば予め設定された左係数を乗算器１２２へ出力する。
乗算器１２２は、左係数出力部１２１からの左係数の値を入力するとともに、ユーザにより設定される水平左ゲインの値を入力し、これらを乗算して、その乗算結果を選択回路１２６へ出力する。
右係数出力部１２３は、例えば予め設定された右係数を乗算器１２４へ出力する。
乗算器１２４は、右係数出力部１２３からの右係数の値を入力するとともに、ユーザにより設定される水平右ゲインの値を入力し、これらを乗算して、その乗算結果を選択回路１２６へ出力する。
水平カウンタ１２５は、映像（画面）の水平方向の画素数をカウント（計数）して、そのカウント値を選択回路１２６へ出力する。
【００３６】
選択回路１２６は、２つの乗算器１２２、１２４から入力された値と、水平カウンタ１２５から入力されたカウント値に基づいて、基準補正値に基づく補正値を調整するための補正値（調整補正値）を算出して、調整補正値を加算器１４１へ出力する。
具体例として、選択回路１２６は、２つの乗算器１２２、１２４からの入力値のうちで、水平カウンタ１２５のカウント値などに基づいて検出される画面上の位置（本例では、左側或いは右側）に対応した方を選択して、選択した入力値とカウント値（或いは、それに基づく値）を乗算した結果を調整補正値とする。この場合に、画面が分割された各調整用エリアにおいて、調整補正値が所望の関数（例えば、直線や２次曲線など）を満たすように、カウント値の取り方（例えば、各調整用エリアの端での値）が水平カウンタ１２５或いは選択回路１２６において調整されてもよい。
【００３７】
上係数出力部１３１は、例えば予め設定された上係数を乗算器１３２へ出力する。
乗算器１３２は、上係数出力部１３１からの上係数の値を入力するとともに、ユーザにより設定される垂直上ゲインの値を入力し、これらを乗算して、その乗算結果を選択回路１３６へ出力する。
下係数出力部１３３は、例えば予め設定された下係数を乗算器１３４へ出力する。
乗算器１３４は、下係数出力部１３３からの下係数の値を入力するとともに、ユーザにより設定される垂直下ゲインの値を入力し、これらを乗算して、その乗算結果を選択回路１３６へ出力する。
垂直カウンタ１３５は、映像（画面）の垂直方向の画素数をカウント（計数）して、そのカウント値を選択回路１３６へ出力する。
【００３８】
選択回路１３６は、２つの乗算器１３２、１３４から入力された値と、垂直カウンタ１３５から入力されたカウント値に基づいて、基準補正値に基づく補正値を調整するための補正値（調整補正値）を算出して、調整補正値を加算器１４２へ出力する。
具体例として、選択回路１３６は、２つの乗算器１３２、１３４からの入力値のうちで、垂直カウンタ１３５のカウント値などに基づいて検出される画面上の位置（本例では、上側或いは下側）に対応した方を選択して、選択した入力値とカウント値（或いは、それに基づく値）を乗算した結果を調整補正値とする。この場合に、画面が分割された各調整用エリアにおいて、調整補正値が所望の関数（例えば、直線や２次曲線など）を満たすように、カウント値の取り方（例えば、各調整用エリアの端での値）が垂直カウンタ１３５或いは選択回路１３６において調整されてもよい。
【００３９】
加算器１４１は、水平の補正値出力部１１１から入力された補正値と選択回路１２６から入力された調整補正値とを加算して、その加算結果（調整後画素毎補正値）を水平移動回路１０１へ出力する。
加算器１４２は、垂直の補正値出力部１１２から入力された補正値と選択回路１３６から入力された調整補正値とを加算して、その加算結果（調整後画素毎補正値）を垂直移動回路１０２へ出力する。
【００４０】
水平移動回路１０１は、色ずれ補正対象となる映像を入力して、加算器１４１から入力された調整後画素毎補正値を用いて水平方向について当該映像の色ずれを補正（例えば、画素移動）し、当該補正後の映像を垂直移動回路１０２へ出力する。
垂直移動回路１０２は、水平移動回路１０１から色ずれ補正対象となる映像を入力して、加算器１４２から入力された調整後画素毎補正値を用いて垂直方向について当該映像の色ずれを補正（例えば、画素移動）し、当該補正後の映像（補正映像）を出力する。
なお、水平方向の色ずれ補正と垂直方向の色ずれ補正の順序としては、逆であってもよい。
【００４１】
図２には、Ｒ、Ｂについて、撮影映像の色ずれを補正する様子の一例を示してある。
ここで、図２に示されるＲの補正値出力部２１１は図１（ｃ）に示されるＲの水平の補正値出力部１１１と垂直の補正値出力部１１２をまとめて表したものであり、図２に示される加算部２１３は図１（ｃ）に示されるＲの２つの加算器１４１、１４２をまとめて表したものである。また、Ｂについても、Ｒと同様な処理部（図２に示されるＢの補正値出力部２１２及び加算部２１４、その他は図示を省略）が備えられている。
また、図２に示される処理回路１５１は、図１（ｃ）に示される水平移動回路１０１や垂直移動回路１０２と同様な機能を有しており、図５に示されるようにＲとＢのそれぞれの色ずれ補正を行う機能を有している。
【００４２】
図２において、撮影映像２２１では、レンズなどの影響により、Ｒ／Ｇ／Ｂに色ずれ（例えば、色収差）が生じる。これに対して、補正映像２２２では、色ずれ（例えば、色収差）の無い映像が得られる。
具体的には、図２の例では、水平左ゲインが０に設定され、水平右ゲインが−１に設定され、垂直上ゲインが０に設定され、垂直下ゲインが−１に設定されており、画面の右下（図１（ａ）に示される下右画像の部分）に対して手動による色ずれ補正が行われている。
【００４３】
以上のように、本例の色ずれ補正装置では、画面を複数に分割した各調整用エリア毎に、基準補正値に基づく補正値に対して手動による補正値（調整補正値）を加算することにより、色ずれの微調整などが可能であり、これにより、例えば、画面の全体にわたって、精度良く色ずれ補正を行うことができる。
【００４４】
ここで、追加的な構成例として、色ずれ（例えば、色収差）が非合焦被写体で目立つような場合には、色ずれ補正装置をフォーカスインジケータと連携させるようにして、フォーカスが合っていないときにその領域（例えば、フォーカスが合っていない領域に対応した調整用エリア）を装置により自動的に拡大表示する構成とすることができる。これにより、手動で調整する際に、調整をし易くすることができる。
【００４５】
また、他の構成例として、画面の分割領域（調整用エリア）をユーザにより手動で設定することが可能な機能を色ずれ補正装置に備えてもよい。これにより、ユーザは、本例のような４分割に限らず、任意の態様で画面を複数の領域（調整用エリア）に分割することができる。
また、調整用エリアに関して、例えば、画面の分割数（領域の数）が多数になると、図１（ｃ）や図２に示されるような回路構成が複雑化或いは大規模化する可能性があるため、図１（ｃ）や図２に示されるような回路構成の代わりに、マスキングを用いることもできる。具体的には、ソフトウエアなどにより画面をマスキングすることで、有効とした領域のみに補正値（例えば、調整補正値）に基づく色ずれ補正処理を実行するようにする。
【００４６】
また、例えば、被写体に固有の色がある場合にはカラーマスキング等を行って、該当する部分のみに対して補正値（例えば、調整補正値）に基づく色ずれ補正処理を実行するようにすることも可能である。
また、例えば、基準補正値を絵柄によって多少トリミングすることなどが行われてもよく、具体的には、装置により自動的に絵柄を判定して、パラメータ等を切り替える。
【符号の説明】
【００４７】
１・・交換式レンズ、  ２・・分光プリズム、  ３・・撮像素子（Ｒ）、  ４・・撮像素子（Ｇ）、  ５・・撮像素子（Ｂ）、  １０・・色ずれ補正部、  １１・・基準補正値記憶部、  １２・・画素毎補正値算出部、  １３・・制御部、  ５１、６１・・水平シフト回路、  ５２、５４、６２、６４・・メモリ、  ５３、６３・・垂直シフト回路、
１０１・・水平移動回路、  １０２・・垂直移動回路、  １１１、１１２、２１１、２１２・・補正値出力部、  １２１・・左係数出力部、  １２２、１２４、１３２、１３４・・乗算器、  １２３・・右係数出力部、  １２５・・水平カウンタ、  １２６、１３６・・選択回路、  １３１・・上係数出力部、  １３３・・下係数出力部、  １３５・・垂直カウンタ、  １４１、１４２・・加算器、  １５１・・処理回路、  ２０１・・画面、  ２１３、２１４・・加算部、  ２２１・・撮影映像、  ２２２・・補正映像、
３０１・・カメラ、  ３０２〜３０４・・被写体、  ３１１、３１２・・補正値出力部、  ３１３・・処理回路、  ４０１、４１１・・撮影映像、  ４０２、４１２・・補正映像、
【図１】
0005501884.tif 000002
【図２】
0005501884.tif 000003
【図３】
0005501884.tif 000004
【図４】
0005501884.tif 000005
【図５】
0005501884.tif 000006
【図６】
0005501884.tif 000007